(57)【要約】【課題】  地図上で目印となる点にＲＦＩＤを用いることによりＧＰＳによる通信を介さずに地図上のポイントとなる位置、もしくは限られた空間内での位置情報を蓄積することができ、その蓄積されたデータから位置情報を監視することができる位置情報把握システム、管理装置、移動体通信端末、位置情報把握方法およびプログラムを提供する。【解決手段】  複数の携帯端末１０ａ、１０ｂと、サーバ３０とが接続されており、携帯端末１０がＲＦＩＤ５０から受信する情報として地図上のランドマークとなる情報および緯度・経度情報を含む。【選択図】  図１
2006234976.tif 000002
【特許請求の範囲】
【請求項１】
ネットワークを介して接続されている複数の携帯端末と、サーバと、を含む位置情報把握システムであって、
前記携帯端末がＲＦＩＤから受信する情報として地図上のランドマークとなる情報および緯度・経度情報を含むことを特徴とする位置情報把握システム。
【請求項２】
前記サーバが、地図上にマークされた情報やランドマーク情報から地点を割り出し、前記ＲＦＩＤが保持するランドマーク情報と同一識別子の情報および緯度・経度情報を作成し、前記携帯端末にデータ送信を行なうことを特徴とする請求項１記載の位置情報把握システム。
【請求項３】
サーバが、地図上にマークされたポイントが境界を示す場合に、複数の位置情報を作成し、前記携帯端末にデータ送信を行なうことを特徴とする請求項１または２記載の位置情報把握システム。
【請求項４】
前記携帯端末が、設定された位置情報とＲＦＩＤ、ＧＰＳ機能から受信したデータを比較して現在位置を把握することを特徴とする請求項１から３のいずれか１項に記載の位置情報把握システム。
【請求項５】
前記携帯端末が、始点、終点設定された位置を把握した時に設定された携帯端末に対してその通過時間などの情報を送信することを特徴とする請求項１から４のいずれか１項に記載の位置情報把握システム。
【請求項６】
前記携帯端末が、ＲＦＩＤやＧＰＳ機能により終点迄の位置情報の通過ポイントを取得している場合は、終点地に到達した時点でそのデータ送信することを特徴とする請求項１から５のいずれか１項に記載の位置情報把握システム。
【請求項７】
前記携帯端末が、設定されたメモリ蓄積数を超える場合は、終点地などの設定条件に関わらず詳細位置の監視を行なうために、設定された携帯端末にデータ送信することを特徴とする請求項１から６のいずれか１項に記載の位置情報把握システム。
【請求項８】
前記携帯端末が、ＲＦＩＤからの位置情報を取得した時点で自身に設定された境界情報との判定処理を行ない、その境界ラインを越えている場合はその状態を認識することを特徴とする請求項１から７のいずれか１項に記載の位置情報把握システム。
【請求項９】
前記携帯端末が、前記認識している状態になった場合に、常に位置状態を監視可能とするために、ＲＦＩＤだけでなくＧＰＳ機能を定期的に使用することにより位置情報を常に把握することを特徴とする請求項８記載の位置情報把握システム。
【請求項１０】
前記サーバが、前記携帯端末に通知された位置情報を基に通過時間と移動経路を地図上に反映して、作成した地図を前記携帯端末に送信することを特徴とする請求項１から９のいずれか１項に記載の位置情報把握システム。
【請求項１１】
前記サーバが、地図上の道路や線路状況および携帯端末の通過時間と移動量から移動手段を算出することを特徴とする請求項１から１０のいずれか１項に記載の位置情報把握システム。
【請求項１２】
前記サーバが、限られた空間にいる場合に、位置状態を監視している携帯端末から送信されたデータを読み込ませることによりその通過経路と場所を特定し、その場で表示することを特徴とする請求項１から１１のいずれか１項に記載の位置情報把握システム。
【請求項１３】
地図上にマークされた情報やランドマーク情報から地点を割り出し、ＲＦＩＤが保持するランドマーク情報と同一識別子の情報および緯度・経度情報を作成し、携帯端末にデータ送信を行なうことを特徴とする管理装置。
【請求項１４】
地図上にマークされたポイントが境界を示す場合に、複数の位置情報を作成し、前記携帯端末にデータ送信を行なうことを特徴とする請求項１３記載の管理装置。
【請求項１５】
前記携帯端末に通知された位置情報を基に通過時間と移動経路を地図上に反映して、作成した地図を前記携帯端末に送信することを特徴とする請求項１３または１４記載の管理装置。
【請求項１６】
地図上の道路や線路状況および携帯端末の通過時間と移動量から移動手段を算出することを特徴とする請求項１３から１５のいずれか１項に記載の管理装置。
【請求項１７】
限られた空間にいる場合に、位置状態を監視している携帯端末から送信されたデータを読み込ませることによりその通過経路と場所を特定し、その場で表示することを特徴とする請求項１３から１６のいずれか１項に記載の管理装置。
【請求項１８】
ＲＦＩＤから受信する情報として地図上のランドマークとなる情報および緯度・経度情報を含むことを特徴とする移動体通信端末。
【請求項１９】
設定された位置情報とＲＦＩＤ、ＧＰＳ機能から受信したデータを比較して現在位置を把握することを特徴とする請求項１８記載の移動体通信端末。
【請求項２０】
始点、終点設定された位置を把握した時に設定された携帯端末に対してその通過時間などの情報を送信することを特徴とする請求項１８または１９記載の移動体通信端末。
【請求項２１】
ＲＦＩＤやＧＰＳ機能により終点迄の位置情報の通過ポイントを取得している場合は、終点地に到達した時点でそのデータ送信することを特徴とする請求項１８から２０のいずれか１項に記載の移動体通信端末。
【請求項２２】
設定されたメモリ蓄積数を超える場合は、終点地などの設定条件に関わらず詳細位置の監視を行なうために、設定された移動体通信端末にデータ送信することを特徴とする請求項１８から２１のいずれか１項に記載の移動体通信端末。
【請求項２３】
ＲＦＩＤからの位置情報を取得した時点で自身に設定された境界情報との判定処理を行ない、その境界ラインを越えている場合はその状態を認識することを特徴とする請求項１８から２２のいずれか１項に記載の移動体通信端末。
【請求項２４】
前記認識している状態になった場合に、常に位置状態を監視可能とするために、ＲＦＩＤだけでなくＧＰＳ機能を定期的に使用することにより位置情報を常に把握することを特徴とする請求項２３記載の移動体通信端末。
【請求項２５】
ネットワークを介して接続されている複数の携帯端末と、サーバと、を利用した位置情報把握方法であって、
前記携帯端末がＲＦＩＤから受信する情報として地図上のランドマークとなる情報および緯度・経度情報を含むことを特徴とする位置情報把握方法。
【請求項２６】
前記サーバが、地図上にマークされた情報やランドマーク情報から地点を割り出し、前記ＲＦＩＤが保持するランドマーク情報と同一識別子の情報および緯度・経度情報を作成し、前記携帯端末にデータ送信を行なうことを特徴とする請求項２５記載の位置情報把握方法。
【請求項２７】
サーバが、地図上にマークされたポイントが境界を示す場合に、複数の位置情報を作成し、前記携帯端末にデータ送信を行なうことを特徴とする請求項２５または２６記載の位置情報把握方法。
【請求項２８】
前記携帯端末が、設定された位置情報とＲＦＩＤ、ＧＰＳ機能から受信したデータを比較して現在位置を把握することを特徴とする請求項２５から２７のいずれか１項に記載の位置情報把握方法。
【請求項２９】
前記携帯端末が、始点、終点設定された位置を把握した時に設定された携帯端末に対してその通過時間などの情報を送信することを特徴とする請求項２５から２８のいずれか１項に記載の位置情報把握方法。
【請求項３０】
前記携帯端末が、ＲＦＩＤやＧＰＳ機能により終点迄の位置情報の通過ポイントを取得している場合は、終点地に到達した時点でそのデータ送信することを特徴とする請求項２５から２９のいずれか１項に記載の位置情報把握方法。
【請求項３１】
前記携帯端末が、設定されたメモリ蓄積数を超える場合は、終点地などの設定条件に関わらず詳細位置の監視を行なうために、設定された携帯端末にデータ送信することを特徴とする請求項２５から３０のいずれか１項に記載の位置情報把握方法。
【請求項３２】
前記携帯端末が、ＲＦＩＤからの位置情報を取得した時点で自身に設定された境界情報との判定処理を行ない、その境界ラインを越えている場合はその状態を認識することを特徴とする請求項２５から３１のいずれか１項に記載の位置情報把握方法。
【請求項３３】
前記携帯端末が、前記認識している状態になった場合に、常に位置状態を監視可能とするために、ＲＦＩＤだけでなくＧＰＳ機能を定期的に使用することにより位置情報を常に把握することを特徴とする請求項３２記載の位置情報把握方法。
【請求項３４】
前記サーバが、前記携帯端末に通知された位置情報を基に通過時間と移動経路を地図上に反映して、作成した地図を前記携帯端末に送信することを特徴とする請求項２５から３３のいずれか１項に記載の位置情報把握方法。
【請求項３５】
前記サーバが、地図上の道路や線路状況および携帯端末の通過時間と移動量から移動手段を算出することを特徴とする請求項２５から３４のいずれか１項に記載の位置情報把握方法。
【請求項３６】
前記サーバが、限られた空間にいる場合に、位置状態を監視している携帯端末から送信されたデータを読み込ませることによりその通過経路と場所を特定し、その場で表示することを特徴とする請求項２５から３５のいずれか１項に記載の位置情報把握方法。
【請求項３７】
請求項２５から３６に記載の位置情報把握方法をネットワークを介して接続されている複数の携帯端末と、サーバと、を利用して、それぞれに実行させるためのプログラム。
【発明の詳細な説明】
【技術分野】
【０００１】
本発明は、ＲＦＩＤを使用することにより詳細な位置情報把握を行なう位置情報把握システム、管理装置、移動体通信端末、位置情報把握方法およびプログラムに関する。
【背景技術】
【０００２】
近年、携帯電話等の移動体通信端末を防犯用に子供に持たせているケースがあり、ＧＰＳ機能を使用することで位置情報を取得することが可能である。
【０００３】
ここで、街路の建物・構築物の経度と緯度を取得し、バーコード、または、無線ＩＣタグなどの記録媒体に記録し、経度と緯度を取得した建物・構築物に貼付し、携帯電話・携帯情報端末に、経度と緯度から現在地点を表示できる地図アプリケーションをインストールし、建物・構築物に貼付した記録媒体から経度と緯度を読み込み、携帯電話・携帯情報端末の地図アプリケーションの地図上に現在地点を表示することによって、ＧＰＳ受信機に替わり、現在地点を取得し、携帯電話・携帯情報端末の地図アプリケーションの地図上に現在地点を表示する技術が提案されている（例えば、特許文献１等参照）。
【特許文献１】特開２００４−３４１４６０号公報
【特許文献２】特開２００３−２６４６１５号公報
【発明の開示】
【発明が解決しようとする課題】
【０００４】
しかしながら、上述した従来例においては次のような問題点があった。
【０００５】
実際には子供の行動範囲は狭く限られているケースの方が多く、かつＧＰＳ機能を使用するには通信処理を頻繁に行なう必要があるため、比較的高額な使用料金が発生するという問題点があった。
【０００６】
そこで、本発明は、地図上で目印となる点にＲＦＩＤを用いることによりＧＰＳによる通信を介さずに地図上のポイントとなる位置、もしくは限られた空間内での位置情報を蓄積することができ、その蓄積されたデータから位置情報を監視することができる位置情報把握システム、管理装置、移動体通信端末、位置情報把握方法およびプログラムを提供することを目的とする。
【課題を解決するための手段】
【０００７】
請求項１記載の発明は、ネットワークを介して接続されている複数の携帯端末と、サーバと、を含む位置情報把握システムであって、携帯端末がＲＦＩＤから受信する情報として地図上のランドマークとなる情報および緯度・経度情報を含むことを特徴とする位置情報把握システムである。
【０００８】
請求項２記載の発明は、請求項１記載の位置情報把握システムにおいて、サーバが、地図上にマークされた情報やランドマーク情報から地点を割り出し、ＲＦＩＤが保持するランドマーク情報と同一識別子の情報および緯度・経度情報を作成し、携帯端末にデータ送信を行なうことを特徴とする。
【０００９】
請求項３記載の発明は、請求項１または２記載の位置情報把握システムにおいて、サーバが、地図上にマークされたポイントが境界を示す場合に、複数の位置情報を作成し、携帯端末にデータ送信を行なうことを特徴とする。
【００１０】
請求項４記載の発明は、請求項１から３のいずれか１項に記載の位置情報把握システム携帯端末が、設定された位置情報とＲＦＩＤ、ＧＰＳ機能から受信したデータを比較して現在位置を把握することを特徴とする。
【００１１】
請求項５記載の発明は、請求項１から４のいずれか１項に記載の位置情報把握システムにおいて、携帯端末が、始点、終点設定された位置を把握した時に設定された携帯端末に対してその通過時間などの情報を送信することを特徴とする。
【００１２】
請求項６記載の発明は、請求項１から５のいずれか１項に記載の位置情報把握システムにおいて、携帯端末が、ＲＦＩＤやＧＰＳ機能により終点迄の位置情報の通過ポイントを取得している場合は、終点地に到達した時点でそのデータ送信することを特徴とする。
【００１３】
請求項７記載の発明は、請求項１から６のいずれか１項に記載の位置情報把握システムにおいて、携帯端末が、設定されたメモリ蓄積数を超える場合は、終点地などの設定条件に関わらず詳細位置の監視を行なうために、設定された携帯端末にデータ送信することを特徴とする。
【００１４】
請求項８記載の発明は、請求項１から７のいずれか１項に記載の位置情報把握システムにおいて、携帯端末が、ＲＦＩＤからの位置情報を取得した時点で自身に設定された境界情報との判定処理を行ない、その境界ラインを越えている場合はその状態を認識することを特徴とする。
【００１５】
請求項９記載の発明は、請求項８記載の位置情報把握システムにおいて、携帯端末が、認識している状態になった場合に、常に位置状態を監視可能とするために、ＲＦＩＤだけでなくＧＰＳ機能を定期的に使用することにより位置情報を常に把握することを特徴とする。
【００１６】
請求項１０記載の発明は、請求項１から９のいずれか１項に記載の位置情報把握システムにおいて、サーバが、携帯端末に通知された位置情報を基に通過時間と移動経路を地図上に反映して、作成した地図を携帯端末に送信することを特徴とする。
【００１７】
請求項１１記載の発明は、請求項１から１０のいずれか１項に記載の位置情報把握システムにおいて、サーバが、地図上の道路や線路状況および携帯端末の通過時間と移動量から移動手段を算出することを特徴とする。
【００１８】
請求項１２記載の発明は、請求項１から１１のいずれか１項に記載の位置情報把握システムにおいて、サーバが、限られた空間にいる場合に、位置状態を監視している携帯端末から送信されたデータを読み込ませることによりその通過経路と場所を特定し、その場で表示することを特徴とする。
【００１９】
請求項１３記載の発明は、地図上にマークされた情報やランドマーク情報から地点を割り出し、ＲＦＩＤが保持するランドマーク情報と同一識別子の情報および緯度・経度情報を作成し、携帯端末にデータ送信を行なうことを特徴とする管理装置である。
【００２０】
請求項１４記載の発明は、請求項１３記載の管理装置において、地図上にマークされたポイントが境界を示す場合に、複数の位置情報を作成し、携帯端末にデータ送信を行なうことを特徴とする。
【００２１】
請求項１５記載の発明は、請求項１３または１４記載の管理装置において、携帯端末に通知された位置情報を基に通過時間と移動経路を地図上に反映して、作成した地図を携帯端末に送信することを特徴とする。
【００２２】
請求項１６記載の発明は、請求項１３から１５のいずれか１項に記載の管理装置において、地図上の道路や線路状況および携帯端末の通過時間と移動量から移動手段を算出することを特徴とする。
【００２３】
請求項１７記載の発明は、請求項１３から１６のいずれか１項に記載の管理装置において、限られた空間にいる場合に、位置状態を監視している携帯端末から送信されたデータを読み込ませることによりその通過経路と場所を特定し、その場で表示することを特徴とする。
【００２４】
請求項１８記載の発明は、ＲＦＩＤから受信する情報として地図上のランドマークとなる情報および緯度・経度情報を含むことを特徴とする移動体通信端末である。
【００２５】
請求項１９記載の発明は、請求項１８記載の移動体通信端末において、設定された位置情報とＲＦＩＤ、ＧＰＳ機能から受信したデータを比較して現在位置を把握することを特徴とする。
【００２６】
請求項２０記載の発明は、請求項１８または１９記載の移動体通信端末において、始点、終点設定された位置を把握した時に設定された携帯端末に対してその通過時間などの情報を送信することを特徴とする。
【００２７】
請求項２１記載の発明は、請求項１８から２０のいずれか１項に記載の移動体通信端末において、ＲＦＩＤやＧＰＳ機能により終点迄の位置情報の通過ポイントを取得している場合は、終点地に到達した時点でそのデータ送信することを特徴とする。
【００２８】
請求項２２記載の発明は、請求項１８から２１のいずれか１項に記載の移動体通信端末において、設定されたメモリ蓄積数を超える場合は、終点地などの設定条件に関わらず詳細位置の監視を行なうために、設定された移動体通信端末にデータ送信することを特徴とする。
【００２９】
請求項２３記載の発明は、請求項１８から２２のいずれか１項に記載の移動体通信端末において、ＲＦＩＤからの位置情報を取得した時点で自身に設定された境界情報との判定処理を行ない、その境界ラインを越えている場合はその状態を認識することを特徴とする。
【００３０】
請求項２４記載の発明は、請求項２３記載の移動体通信端末において、認識している状態になった場合に、常に位置状態を監視可能とするために、ＲＦＩＤだけでなくＧＰＳ機能を定期的に使用することにより位置情報を常に把握することを特徴とする。
【００３１】
請求項２５記載の発明は、ネットワークを介して接続されている複数の携帯端末と、サーバと、を利用した位置情報把握方法であって、携帯端末がＲＦＩＤから受信する情報として地図上のランドマークとなる情報および緯度・経度情報を含むことを特徴とする位置情報把握方法である。
【００３２】
請求項２６記載の発明は、請求項２５記載の位置情報把握方法において、サーバが、地図上にマークされた情報やランドマーク情報から地点を割り出し、ＲＦＩＤが保持するランドマーク情報と同一識別子の情報および緯度・経度情報を作成し、携帯端末にデータ送信を行なうことを特徴とする。
【００３３】
請求項２７記載の発明は、請求項２５または２６記載の位置情報把握方法において、サーバが、地図上にマークされたポイントが境界を示す場合に、複数の位置情報を作成し、携帯端末にデータ送信を行なうことを特徴とする。
【００３４】
請求項２８記載の発明は、請求項２５から２７のいずれか１項に記載の位置情報把握方法において、携帯端末が、設定された位置情報とＲＦＩＤ、ＧＰＳ機能から受信したデータを比較して現在位置を把握することを特徴とする。
【００３５】
請求項２９記載の発明は、請求項２５から２８のいずれか１項に記載の位置情報把握方法において、携帯端末が、始点、終点設定された位置を把握した時に設定された携帯端末に対してその通過時間などの情報を送信することを特徴とする。
【００３６】
請求項３０記載の発明は、請求項２５から２９のいずれか１項に記載の位置情報把握方法において、携帯端末が、ＲＦＩＤやＧＰＳ機能により終点迄の位置情報の通過ポイントを取得している場合は、終点地に到達した時点でそのデータ送信することを特徴とする。
【００３７】
請求項３１記載の発明は、請求項２５から３０のいずれか１項に記載の位置情報把握方法において、携帯端末が、設定されたメモリ蓄積数を超える場合は、終点地などの設定条件に関わらず詳細位置の監視を行なうために、設定された携帯端末にデータ送信することを特徴とする。
【００３８】
請求項３２記載の発明は、請求項２５から３１のいずれか１項に記載の位置情報把握方法において、携帯端末が、ＲＦＩＤからの位置情報を取得した時点で自身に設定された境界情報との判定処理を行ない、その境界ラインを越えている場合はその状態を認識することを特徴とする。
【００３９】
請求項３３記載の発明は、請求項３２記載の位置情報把握方法において、携帯端末が、認識している状態になった場合に、常に位置状態を監視可能とするために、ＲＦＩＤだけでなくＧＰＳ機能を定期的に使用することにより位置情報を常に把握することを特徴とする。
【００４０】
請求項３４記載の発明は、請求項２５から３３のいずれか１項に記載の位置情報把握方法において、サーバが、携帯端末に通知された位置情報を基に通過時間と移動経路を地図上に反映して、作成した地図を携帯端末に送信することを特徴とする。
【００４１】
請求項３５記載の発明は、請求項２５から３４のいずれか１項に記載の位置情報把握方法において、サーバが、地図上の道路や線路状況および携帯端末の通過時間と移動量から移動手段を算出することを特徴とする。
【００４２】
請求項３６記載の発明は、請求項２５から３５のいずれか１項に記載の位置情報把握方法において、サーバが、限られた空間にいる場合に、位置状態を監視している携帯端末から送信されたデータを読み込ませることによりその通過経路と場所を特定し、その場で表示することを特徴とする。
【００４３】
請求項３７記載の発明は、請求項２５から３６に記載の位置情報把握方法をネットワークを介して接続されている複数の携帯端末と、サーバと、を利用して、それぞれに実行させるためのプログラムである。
【発明の効果】
【００４４】
本発明の位置情報把握システム、管理装置、移動体通信端末、位置情報把握方法およびプログラムによれば、地図上で目印となる点にＲＦＩＤを用いることによりＧＰＳによる通信を介さずに地図上のポイントとなる位置、もしくは限られた空間内での位置情報を蓄積することができ、その蓄積されたデータから位置情報を監視することができる。
【発明を実施するための最良の形態】
【００４５】
次に、本発明の一実施の形態について図を参照して詳細に説明する。
【００４６】
図１を参照すると、本実施の形態におけるホームページ変換システムは、携帯端末１０ａと、携帯端末１０ｂと、基地局２０と、サーバ３０と、ＲＦＩＤ５０から構成されている。
【００４７】
携帯端末１０ａは、ユーザが利用する情報処理装置であり、例えば、携帯電話機、ＰＤＡ等である。携帯端末１０ａは、携帯端末１０ｂもしくは自端末によって設定された位置情報や各種設定に基づき、ＲＦＩＤやＧＰＳから配信される情報との比較、検索処理を実施し、携帯端末１０ｂに蓄積された位置情報を通知する仕組みを持つものである。
【００４８】
携帯端末１０ｂは、ユーザが利用する情報処理装置であり、例えば、携帯電話機、ＰＤＡ等である。携帯端末１０ｂは、携帯端末１０ａからの位置情報通知を受信し、その通知結果を基に、サーバ３０に地図情報／移動手段の問い合わせを行なう仕組みを持つものである。問い合わせ後は、その結果をサーバ３０より受信することで携帯端末１０ａのトレースを行なう機能を有している。
【００４９】
基地局２０は、携帯端末１０ａと携帯端末１０ｂ、携帯端末１０ａとサーバ３０、携帯端末１０ｂとサーバ３０が直接通信を行なう場合を除き、その通信路としての仕組みを持つものである。
【００５０】
サーバ３０は、問い合わせがあった場合に携帯端末１０ａに対してＧＰＳ情報の配信を行なう仕組み、および携帯端末１０ｂから位置情報を付加されて問い合わせが行なわれた場合に、経路算出および経路／通過時間の関係から移動手段を算出する機能を有している。
【００５１】
ＲＦＩＤ５０は、自身が保持する経度／緯度等の地図情報および自身が配置されている店などの情報を携帯端末１０ａに対して自動で配信する機能を有している。
【００５２】
図２は、携帯端末１０ａおよび携帯端末１０ｂのハードウェア構成を示す図である。
【００５３】
図２を参照すると、携帯端末１０は、システム制御部１０１と、記憶メモリ１０２と、ＲＦＩＤチップ１０３と、無線制御部１０４を備えている。
【００５４】
ここで、システム制御部１０１は、携帯端末１０のメイン部分の動作を行なうものである。
【００５５】
記憶メモリ１０２は、送信／受信される位置情報などの格納を行なうものである。
【００５６】
ＲＦＩＤチップ１０３は、非接触でＲＦＩＤ情報の受信を行なうものである。
【００５７】
無線制御部１０４は、ＨＴＴＰ通信、ＴＣＰ／ＩＰ通信、赤外線通信などの無線制御を行なうものである。
【００５８】
図３は、携帯端末１０ａおよび携帯端末１０ｂのソフトウェア構成を示す図である。
【００５９】
図３を参照すると、携帯端末１０は、ＯＳ１０５と、通信モジュール１０６と、携帯端末モジュール１０７と、データ管理モジュール１０８と、アプリケーション１０９を備えている。
【００６０】
ここで、ＯＳ１０５は、携帯端末１０におけるプラットフォーム環境であるが、特に特定はしない。
【００６１】
通信モジュール１０６は、赤外線、ＨＴＴＰ、ＴＣＰ／ＩＰ、無線ＬＡＮ等の通信手段を持つモジュールであり、携帯端末１０ａと携帯端末１０ｂ、携帯端末１０ａとサーバ３０、携帯端末１０ａとＲＦＩＤ５０、携帯端末１０ｂとサーバ３０とのデータのやり取りに使用される仕組みを持つものである。
【００６２】
携帯端末モジュール１０７は、携帯端末に特化されたソフトウェアモジュール群のことである。
【００６３】
データ管理モジュール１０８は、サーバ３０やＲＦＩＤ５０から受信したデータを管理する役割を持つものである。
【００６４】
アプリケーション１０９は、携帯端末１０上に保有されるＪａｖａ（登録商標）等のアプリケーションのことを意味する。アプリケーション１０９は、データ管理モジュール１０８にデータの蓄積を行なったり、設定された位置情報とサーバ３０、ＲＦＩＤ５０から受信したデータとの境界値判定や到着判定などの処理を行なう役割を持つものである。
【００６５】
次に、図４を参照して、本実施の形態における、携帯端末１０ａが、携帯端末１０ｂに位置情報を通知する際の条件を初期登録するシーケンスフローを説明する。
【００６６】
携帯端末１０ｂは、予め地図情報に対して境界範囲（領域を越えた場合に通知を行なう範囲）、または、始点と終点を設定した情報をサーバ３０に対して送信する（Ｓ４０１）。この際に、別の携帯端末１０ａに対して情報設定を行なうため端末識別用に携帯端末の固体識別番号を付加してデータ送信を行なう。
【００６７】
サーバ３０は、その情報を受信した段階で、地図と要点ポイントから緯度や経度、ランドマーク情報といった位置情報を特定するのに必要な情報を検索する（Ｓ４０２）。この時、境界範囲が設定されている場合は、複数のポイントが算出されることになる。また、始点、終点設定の場合は、始点と終点のみのポイントが算出される。
【００６８】
サーバ３０は、データ算出後、そのデータと通知された携帯端末の固体識別番号を付加して、携帯端末１０ａにメールやＰＵＳＨ配信等の通信方法を使用してデータ配信を行なう（Ｓ４０３）。
【００６９】
そのデータを受信した携帯端末１０ａは、送信データに含まれている送信元の携帯端末の固体識別番号を判定し、自身にデータ設定可能な固体識別番号か否かの判定を行なう（Ｓ４０４）。
【００７０】
データ設定可能な場合（Ｓ４０４／Ｙｅｓ）は、位置情報判定用のアプリケーションが、判定の際に使用する境界位置ポイントや始点、終点ポイント情報の保存を行ない（Ｓ４０５）、その結果通知を携帯端末１０ｂに行なう（Ｓ４０６）。
【００７１】
携帯端末１０ｂは、この結果通知により携帯端末１０ａにデータ設定できたか否かを知ることができる。
【００７２】
次に、図５を参照して、本実施の形態における、携帯端末１０ａが、上記の図４に示す処理で設定されたデータの判定を行なう際のシーケンスフローを説明する。
【００７３】
携帯端末１０ａは、道端やランドマークとなる店や駅、店の店内に設置されたＲＦＩＤからランドマークとなる固有情報、ＧＰＳでも取得可能な緯度、経度情報を受信する（Ｓ５０１）。ここで、ＲＦＩＤ内に緯度、経度情報を含めることによりＧＰＳ機能により情報取得しなくてよくなる。
【００７４】
携帯端末１０ａは、受信データを基に、携帯端末に設定されている始点、終点情報との比較を行なう（Ｓ５０２）。
【００７５】
この比較の結果、始点、終点情報の位置情報と一致した場合（Ｓ５０２／Ｙｅｓ）は、その位置に到達したことを示す為に、そのデータを設定した携帯端末１０ｂに対して位置情報、通過時間などのデータをメール等の通信機能を使用して送信する（Ｓ５０５）。
【００７６】
この時、終点情報と一致する場合は、始点から終点迄に通過したポイント(ＲＦＩＤから受信したデータ)がメモリ内に保存されていれば、同時にそのデータの送信も行う。これにより始点、終点設定された位置に到達する迄の経路や時間などを携帯端末１０ｂは知ることが可能となる。
【００７７】
また、始点、終点までの到達点に至る迄にＲＦＩＤが設置されたポイントを通過する可能性があり、その通過点を小まめに通知する為にメモリ内に蓄積可能なデータ数の設定を行い、その蓄積データ数を超えるか否かの判定を行ない（Ｓ５０３）、その蓄積データ数を超えた場合（Ｓ５０３／Ｙｅｓ）は、終点情報に一致しない場合でも携帯端末１０ｂにメール等の通信機能を使用して、蓄積されていたデータの送信を行う。一方、蓄積データ数を超えていない場合（Ｓ５０３／Ｎｏ）は、メモリ内に位置情報データを蓄積する。
【００７８】
これにより終点に到達する前にどの位置にいるかを把握することが可能である。
【００７９】
次に、図６を参照して、本実施の形態における、携帯端末１０ａが、上記の図４に示す処理で設定された境界値を超えた場合に位置情報をトレースして携帯端末１０ｂに位置情報通知を行なう際のシーケンスフローを説明する。
【００８０】
携帯端末１０ａは、図５と同様にＲＦＩＤからランドマークとなる固有情報、ＧＰＳでも取得可能な緯度、経度情報、もしくは、ＧＰＳ機能を使用して緯度、経度情報を受信する（Ｓ６０１）。
【００８１】
携帯端末１０ａは、受信データを基に携帯端末に設定されている境界情報との比較を行なう（Ｓ６０２）。
【００８２】
この比較の結果、境界位置の緯度、経度、ランドマーク位置を越える場合（Ｓ６０２／Ｙｅｓ）は、既に境界値を超えたことを通知済みであるか否かを判定し（Ｓ６０３）、未通知のとき（Ｓ６０３／Ｎｏ）は、判定時に取得した位置情報と境界位置を越えたことを示す情報を携帯端末１０ｂにメール等の通信機能を使用してデータ送信する（Ｓ６０４）。
【００８３】
この時、境界位置を越えた場合は、それ以降において詳細なトレースを必要とするため、常時トレース可能なようにタイマー等の手段を用いてＧＰＳ機能を定期的に受信可能なように設定する（Ｓ６０５）。
【００８４】
そして、ステップＳ６０５以降で、タイマー等により定期的に受信した緯度、経度等のＧＰＳデータは基本的にメモリ内に蓄積されていくが、予め設定されている蓄積数を超えた場合には、携帯端末１０ｂにメール等の通信機能を使用して、蓄積されていたデータの送信を行なう。
【００８５】
次に、図７を参照して、本実施の形態における、携帯端末１０ｂに送信されたデータを基に地図上のポイントと通過時間、移動手段などをサーバ３０から取得する際のシーケンスフローを説明する。
【００８６】
携帯端末１０ｂは、携帯端末１０ａより取得した位置情報(ランドマークを示す情報、緯度、経度等)をサーバ３０に送信することにより、サーバ３０上で地図上のマッピング処理を行なう（Ｓ７０１）。この操作により移動経路と通過時間を地図上に割り当てが行われる。
【００８７】
この時、通過時間と地図上の位置の関係から時間毎の移動量と地図上に存在するルート(電車沿線や道路状況など)から移動手段の推定を行なう（Ｓ７０２）。
【００８８】
この全てのデータをサーバ３０は算出し、地図データに情報を貼り付けて送信地図データを作成する（Ｓ７０３）。
【００８９】
その後、地図データを含めて携帯端末１０ｂに対してメール等の通信機能を使用してデータ送信する（Ｓ７０４）。
【００９０】
上記の実施の形態によれば、地図上で目印となる点にＲＦＩＤを用いることによりＧＰＳによる通信を介さずに地図上のポイントとなる位置、もしくは限られた空間内での位置情報を蓄積することができ、その蓄積されたデータをサーバや携帯端末側に送信することで携帯端末保有者の位置情報を監視し、防犯や迷子防止として使用することができる。
【００９１】
また、経過時間に比べて移動量が大きい場合は、サーバ上の地図データから車や電車により移動していることを通知可能とする為、監視側が危険を予測することが可能な点についても効果がある。
【００９２】
なお、上述する各実施の形態は、本発明の好適な実施の形態であり、本発明の要旨を逸脱しない範囲内において種々変更実施が可能である。例えば、上記の実施の形態における携帯端末１０ａ、携帯端末１０ｂよびサーバ３０等の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【図面の簡単な説明】
【００９３】
【図１】本発明の実施形態における位置情報把握システムの概略構成図である。
【図２】携帯端末のハードウェア構成図である。
【図３】携帯端末のソフトウェア構成図である。
【図４】携帯端末１０ａが、携帯端末１０ｂに位置情報を通知する際の条件を初期登録するシーケンスフローである。
【図５】携帯端末１０ａが、図４に示す処理で設定されたデータの判定を行なう際のシーケンスフローである。
【図６】携帯端末１０ａが、境界値を超えた場合に位置情報をトレースして携帯端末１０ｂに位置情報通知を行なう際のシーケンスフローである。
【図７】携帯端末１０ｂに送信されたデータを基に地図上のポイントと通過時間、移動手段などをサーバ３０から取得する際のシーケンスフローである。
【符号の説明】
【００９４】
１０ａ、１０ｂ    携帯端末
２０    基地局
３０    サーバ
５０    ＲＦＩＤ
【図１】
2006234976.tif 000003
【図２】
2006234976.tif 000004
【図３】
2006234976.tif 000005
【図４】
2006234976.tif 000006
【図５】
2006234976.tif 000007
【図６】
2006234976.tif 000008
【図７】
2006234976.tif 000009